(57)【要約】【課題】Ｒ、Ｇ、Ｂの３原色からなる光源を順次発光させて、Ｒ、Ｇ、Ｂの各発光色ごとの画像データを取り込み、カラー画像からなる被写体画像を生成する画像読取装置において、装置の制御負担の軽減を図る。【解決手段】画像読取装置は、フォトセンサアレイ１００の背面側に配置されたバックライトＢＬと、フォトセンサアレイ１００による被写体画像の読み取り動作制御や、画像データの照合、加工等の所定の処理を実行する外部機能部２００とのデータのやり取り等を行うとともに、フォトセンサアレイ１００における受光時間最適化動作、及び、バックライト用電源１８０を制御してバックライトＢＬにおける発光輝度調整動作を実行する機能を備えたコントローラ１５０と、を備えた構成を有している。【選択図】　図６
2004126721.tif 000002
【特許請求の範囲】
【請求項１】
複数のセンサが配列されたセンサアレイと、該センサアレイ上に設けられた検知面に載置された被写体に、互いに異なる波長を有する複数の照射光を時系列的に照射する光源と、を備え、
前記異なる波長の照射光ごとに、該照射光が前記被写体に反射し、所定の受光時間において前記複数のセンサの各々に個別に入射する入射光の量に基づく前記複数のセンサからの出力信号を、前記被写体の前記異なる波長の照射光ごとの画像成分として順次読み込む画像読取装置において、
前記異なる波長の照射光のうちの、前記被写体に適した照射光に対して、前記複数のセンサにおける最適な受光時間を設定する受光時間最適化手段と、
前記光源における前記異なる波長ごとの発光輝度を個別に制御して、前記最適な受光時間において、前記複数のセンサの各々における、前記異なる波長の照射光に対する受光感度を均一化する発光輝度調整手段と、
を備えることを特徴とする画像読取装置。
【請求項２】
前記受光時間最適化手段における、前記照射光は、前記入射光における入射光の量が最も多い波長に対応する、前記異なる波長の照射光のうちの一つの照射光であることを特徴とする請求項１記載の画像読取装置。
【請求項３】
前記画像読取装置は、前記画像成分を合成して、前記被写体のカラー画像を生成する手段を備えていることを特徴とする請求項１記載の画像読取装置。
【請求項４】
前記受光時間最適化手段は、第１の基準パターンに対して、前記所定の照射光を照射し、前記複数のセンサにおける電荷蓄積時間を複数段階に変化させて前記第１の基準パターンの画像データを読み取り、該画像データに含まれる明度階調のダイナミックレンジが最大となる最適電荷蓄積時間を求め、最適電荷蓄積時間を前記受光時間として設定する手段、を備えていることを特徴とする請求項１乃至３記載の画像読取装置。
【請求項５】
前記第１の基準パターンは、明暗模様を有する対象物であることを特徴とする請求項４記載の画像読取装置。
【請求項６】
前記発光輝度調整手段は、第２の基準パターンに対して、前記異なる波長の照射光を時系列的に照射し、前記複数のセンサにより前記受光時間において、前記異なる波長の照射光ごとに前記第２の基準パターンの画像成分を読み取り、前記異なる波長の照射光ごとの前記画像成分に含まれる明度階調が均一となるように、前記光源における前記異なる波長の照射光ごとの発光輝度を個別に制御する手段、を備えていることを特徴とする請求項１乃至５記載の画像読取装置。
【請求項７】
前記第２の基準パターンは、均一な白色を有する対象物であることを特徴とする請求項６記載の画像読取装置。
【請求項８】
前記光源は、前記異なる波長ごとに個別の発光源を備えていることを特徴とする請求項１乃至７のいずれかに記載の画像読取装置。
【請求項９】
前記光源は、前記個別の発光源により、少なくとも、赤色光、緑色光、青色光を所定のタイミングで時系列的に発光するように構成されていることを特徴とする請求項８記載の画像読取装置。
【請求項１０】
前記光源は、前記赤色光、緑色光、青色光を前記複数のセンサにおける前記入射光の受光時間と同期するタイミングで時系列的に発光するように構成されていることを特徴とする請求項９記載の画像読取装置。
【請求項１１】
前記光源は、前記個別の発光源として、前記赤色光、緑色光、青色光を発光する個別の発光ダイオードを備えていることを特徴とする請求項９又は１０記載の画像読取装置。
【請求項１２】
前記センサは、半導体層からなるチャネル領域を挟んで形成されたソース電極及びドレイン電極と、少なくとも前記チャネル領域の情報及び下方に各々絶縁膜を介して形成された第１のゲート電極及び第２のゲート電極と、を有し、
前記第１のゲート電極にリセットパルスを印加して前記センサを初期化し、前記ドレイン電極にプリチャージパルスを印加した後、前記第２のゲート電極に読み出しパルスを印加することにより、前記初期化終了から前記読み出しパルスの印加までの電荷蓄積期間を前記受光時間として、前記チャネル領域に蓄積された電荷に対応する電圧を出力電圧として出力し、
前記画像読取装置は、前記プリチャージパルスに係る信号電圧と前記出力電圧との差分を、明暗信号として観測することを特徴とする請求項１乃至１１のいずれかに記載の画像読取装置。
【請求項１３】
複数のセンサが配列されたセンサアレイと、該センサアレイ上に設けられた検知面に載置された被写体に、互いに異なる波長を有する複数の照射光を時系列的に照射する光源と、を備え、
前記異なる波長の照射光ごとに、該照射光が前記被写体に反射し、所定の受光時間において前記複数のセンサに入射する入射光の量に基づく出力信号を、前記被写体の前記異なる波長の照射光ごとの画像成分として順次読み込む画像読取装置の駆動制御方法において、
前記異なる波長の照射光のうちの、前記被写体に適した照射光に対して、前記複数のセンサにおける最適な受光時間を求める手順と、
前記最適な受光時間を、前記複数のセンサにおける、前記異なる波長の照射光の各々に対する前記受光時間に設定する手順と、
前記異なる波長の照射光に対して、前記最適な受光時間において、前記複数のセンサの各々における受光感度が均一となるように、前記光源における前記異なる波長ごとの発光輝度を個別に制御する手順と、
を含むことを特徴とする画像読取装置の駆動制御方法。
【請求項１４】
前記受光時間を設定する手順における、前記照射光は、前記入射光における入射光の量が最も多い波長に対応する、前記異なる波長の照射光のうちの一つの照射光であることを特徴とする請求項１３記載の画像読取装置の駆動制御方法。
【請求項１５】
前記発光輝度を制御する手順は、
均一な白色が施された基準パターンに対して、前記異なる波長の照射光を照射して、前記複数のセンサにより、前記受光時間において、前記異なる波長の照射光ごとの前記画像成分を取得する第１の手順と、
前記異なる波長の照射光ごとの前記画像成分から、最小又は最大の明度階調に対応する照射光を特定する第２の手順と、
前記光源における前記第２の手順において特定された照射光の発光輝度を、前記光源の各波長の照射光に対する明度階調の差が減少する方向に所定量補正させる第３の手順と、
を含み、前記第１乃至第３の手順を繰り返し実行して、前記異なる波長の照射光ごとの明度階調が均一となるように設定することを特徴とする請求項１３又は１４記載の画像読取装置の駆動制御方法。
【請求項１６】
前記発光輝度を制御する手順は、少なくとも、赤色光、緑色光、青色光を、前記複数のセンサにおける前記入射光の受光時間と同期するタイミングで時系列的に発光することを特徴とする請求項１５記載の画像読取装置の駆動制御方法。
【請求項１７】
前記最適な受光時間を求める手順は、
明暗模様が施された基準パターンに対して、前記所定の照射光を照射し、前記複数のセンサにおける電荷蓄積時間を複数段階に変化させて前記基準パターンの画像データを読み取る手順と、
前記電荷蓄積時間ごとの前記画像データに含まれる明度階調のダイナミックレンジに基づいて、最適電荷蓄積時間を求める手順と、
前記最適電荷蓄積時間を前記受光時間として設定する手順と、
を含むことを特徴とする請求項１３乃至１６のいずれかに記載の画像読取装置の駆動制御方法。
【発明の詳細な説明】
【０００１】
【発明の属する技術分野】
本発明は、画像読取装置及びその駆動制御方法に関し、特に、赤（Ｒ）、緑（Ｇ）、青（Ｂ）の３原色からなる光源を順次発光させて、被写体を各発光色で照射して、Ｒ、Ｇ、Ｂの各発光色ごとの画像データとして時系列的に取り込み、該画像データに基づいて、カラー画像からなる被写体画像を読み取る画像読取装置及びその駆動制御方法に関する。
【０００２】
【従来の技術】
従来、印刷物や写真等の被写体画像を読み取る画像読取装置として、例えば、ＣＣＤ（Ｃｈａｒｇｅ　Ｃｏｕｐｌｅｄ　Ｄｅｖｉｃｅ）等の光電変換素子（フォトセンサ）をライン状又はマトリクス状に配列して構成されるフォトセンサアレイを備え、該フォトセンサアレイ上の検知面に載置された被写体に対して、照射光を照射し、その反射光を各フォトセンサにより読み取り電気信号に変換することにより、被写体画像を読み取る構造が知られている。
【０００３】
ここで、被写体をカラー画像として読み取る（撮像する）技術としては、例えば、被写体画像の明暗成分（明度階調）のみを検出する単一のモノクローム型フォトセンサアレイと、赤（Ｒ）、緑（Ｇ）、青（Ｂ）の３原色の光を発光可能な光源とを備え、光源をＲ、Ｇ、Ｂの各色で順次切り換えて発光させ、赤色、緑色、青色からなる照射光を被写体に照射して撮像した場合に得られる信号レベルに基づいて、各色ごとの画像データを時系列的に読み取り、該画像データを合成することにより、カラー画像からなる被写体画像を生成する方式が知られている。
【０００４】
しかしながら、このような構成を有する画像読取装置においては、フォトセンサアレイを構成するＣＣＤ等からなるフォトセンサにおける、Ｒ、Ｇ、Ｂの各色に対する受光感度特性は一定ではなく、大きく異なる。図１３は、ＣＣＤにおける入射光の波長に対する受光感度特性の一例を示す。同図に示すように、Ｒ、Ｇ、Ｂの各色を規定するピーク波長は、青色光で概ね４００〜４５０ｎｍ程度、緑色光で概ね５００〜５５０ｎｍ程度、赤色光で概ね６００〜６５０ｎｍ程度であるのに対して、フォトセンサの受光感度は、概ね５００ｎｍ前後の波長域において最大感度を示し、それよりも波長が短くなるほど、また、波長が長くなるほど、受光感度が低下する傾向を示す。そのため、被写体に照射される照射光の色ごとに上記撮像信号レベルが変化してしまい、カラー画像生成時の色バランスが悪化するという問題を有していた。
【０００５】
そこで、従来においては、このような問題を抑制するために、光源におけるＲ、Ｇ、Ｂの各色ごとの発光時間を調整することにより、Ｒ、Ｇ、Ｂの各色に対するフォトセンサの受光感度を揃える（均一化する）方式が適用されている。具体的には、図１３に示した受光感度特性に対応するように、例えば、赤色光の発光時間を最も長くし、緑色光の発光時間を最も短くするように制御する駆動制御方法が知られている。（例えば、特許文献１参照）
【０００６】
【特許文献１】
特開平１０−３２６８１号公報　（第３−４頁、第３図）
【０００７】
【発明が解決しようとする課題】
しかしながら、上述したような従来の画像読取装置においては、Ｒ、Ｇ、Ｂの各発光色ごとの撮像信号レベルが均一になるように、光源の発光時間を細かく調整制御する必要があるうえ、該発光時間に同期してフォトセンサの受光動作のタイミングを切り換え制御しなければならないため、画像読取装置の光源部及び受光部の双方において複雑な駆動制御を行わなければならならず、装置の制御負担が増大するという問題を有していた。
【０００８】
そこで、本発明は、上述した問題点に鑑み、Ｒ、Ｇ、Ｂの３原色からなる光源を順次発光させて、Ｒ、Ｇ、Ｂの各発光色ごとの画像データを取り込み、カラー画像からなる被写体画像を生成する画像読取装置において、装置の制御負担の軽減を図ることを目的とする。
【０００９】
【課題を解決するための手段】
請求項１記載の画像読取装置は、複数のセンサが配列されたセンサアレイと、該センサアレイ上に設けられた検知面に載置された被写体に、互いに異なる波長を有する複数の照射光を時系列的に照射する光源と、を備え、前記異なる波長の照射光ごとに、該照射光が前記被写体に反射し、所定の受光時間において前記複数のセンサの各々に個別に入射する入射光の量に基づく前記複数のセンサからの出力信号を、前記被写体の前記異なる波長の照射光ごとの画像成分として順次読み込む画像読取装置において、前記異なる波長の照射光のうちの、前記被写体に適した照射光に対して、前記複数のセンサにおける最適な受光時間を設定する受光時間最適化手段と、前記光源における前記異なる波長ごとの発光輝度を個別に制御して、前記最適な受光時間において、前記複数のセンサの各々における、前記異なる波長の照射光に対する受光感度を均一化する発光輝度調整手段を備えることを特徴としている。
【００１０】
請求項２記載の画像読取装置は、請求項１記載の画像読取装置において、前記受光時間最適化手段における、前記照射光は、前記入射光における入射光の量が最も多い波長に対応する、前記異なる波長の照射光のうちの一つの照射光であることを特徴としている。
請求項３記載の画像読取装置は、請求項１記載の画像読取装置において、前記画像成分を合成して、前記被写体のカラー画像を生成する手段を備えていることを特徴としている。
【００１１】
請求項４記載の画像読取装置は、請求項１乃至３記載の画像読取装置において、前記受光時間最適化手段は、第１の基準パターンに対して、前記所定の照射光を照射し、前記複数のセンサにおける電荷蓄積時間を複数段階に変化させて前記第１の基準パターンの画像データを読み取り、該画像データに含まれる明度階調のダイナミックレンジが最大となる最適電荷蓄積時間を求め、最適電荷蓄積時間を前記受光時間として設定する受光時間最適化手段、を備えていることを特徴としている。
請求項５記載の画像読取装置は、請求項４記載の画像読取装置において、前記第１の基準パターンは、明暗模様を有する対象物であることを特徴としている。
【００１２】
請求項６記載の画像読取装置は、請求項１乃至５記載の画像読取装置において、前記発光輝度調整手段は、第２の基準パターンに対して、前記異なる波長の照射光を時系列的に照射し、前記複数のセンサにより前記受光時間において、前記異なる波長の照射光ごとに前記第２の基準パターンの画像成分を読み取り、前記異なる波長の照射光ごとの前記画像成分に含まれる明度階調が均一となるように、前記光源における前記異なる波長の照射光ごとの発光輝度を個別に制御する手段、を備えていることを特徴としている。
【００１３】
請求項７記載の画像読取装置は、請求項６記載の画像読取装置において、前記第２の基準パターンは、均一な白色を有する対象物であることを特徴としている。
請求項８記載の画像読取装置は、請求項１乃至７のいずれかに記載の画像読取装置において、前記光源は、前記異なる波長ごとに個別の発光源を備えていることを特徴としている。
請求項９記載の画像読取装置は、請求項８記載の画像読取装置において、前記光源は、前記個別の発光源により、少なくとも、赤色光、緑色光、青色光を所定のタイミングで時系列的に発光するように構成されていることを特徴としている。
【００１４】
請求項１０記載の画像読取装置は、請求項９記載の画像読取装置において、前記光源は、前記赤色光、緑色光、青色光を前記複数のセンサにおける前記入射光の受光時間と同期するタイミングで時系列的に発光するように構成されていることを特徴としている。
請求項１１記載の画像読取装置は、請求項９又は１０記載の画像読取装置において、前記光源は、前記個別の発光源として、前記赤色光、緑色光、青色光を発光する個別の発光ダイオードを備えていることを特徴としている。
【００１５】
請求項１２記載の画像読取装置は、請求項１乃至１１のいずれかに記載の画像読取装置において、前記センサは、半導体層からなるチャネル領域を挟んで形成されたソース電極及びドレイン電極と、少なくとも前記チャネル領域の情報及び下方に各々絶縁膜を介して形成された第１のゲート電極及び第２のゲート電極と、を有し、前記第１のゲート電極にリセットパルスを印加して前記センサを初期化し、前記ドレイン電極にプリチャージパルスを印加した後、前記第２のゲート電極に読み出しパルスを印加することにより、前記初期化終了から前記読み出しパルスの印加までの電荷蓄積期間を前記受光時間として、前記チャネル領域に蓄積された電荷に対応する電圧を出力電圧として出力し、前記画像読取装置は、前記プリチャージパルスに係る信号電圧と前記出力電圧との差分を、明暗信号として観測することを特徴としている。
【００１６】
請求項１３記載の画像読取装置の駆動制御方法は、複数のセンサが配列されたセンサアレイと、該センサアレイ上に設けられた検知面に載置された被写体に、互いに異なる波長を有する複数の照射光を時系列的に照射する光源と、を備え、前記異なる波長の照射光ごとに、該照射光が前記被写体に反射し、所定の受光時間において前記複数のセンサに入射する入射光の量に基づく出力信号を、前記被写体の前記異なる波長の照射光ごとの画像成分として順次読み込む画像読取装置の駆動制御方法において、前記異なる波長の照射光のうちの、前記被写体に適した照射光に対して、前記複数のセンサにおける最適な受光時間を求める手順と、前記最適な受光時間を、前記複数のセンサにおける、前記異なる波長の照射光の各々に対する前記受光時間に設定する手順と、前記異なる波長の照射光に対して、前記最適な受光時間において、前記複数のセンサの各々における受光感度が均一となるように、前記光源における前記異なる波長ごとの発光輝度を個別に制御する手順と、を含むことを特徴としている。
【００１７】
請求項１４記載の画像読取装置の駆動制御方法は、請求項１３記載の画像読取装置において、前記受光時間を設定する手順における、前記照射光は、前記入射光における入射光の量が最も多い波長に対応する、前記異なる波長の照射光のうちの一つの照射光であることを特徴とする。
請求項１５記載の画像読取装置の駆動制御方法は、請求項１３又は１４記載の画像読取装置の駆動制御方法において、前記発光輝度を制御する手順は、均一な白色が施された基準パターンに対して、前記異なる波長の照射光を照射して、前記複数のセンサにより、前記受光時間において、前記異なる波長の照射光ごとの前記画像成分を取得する第１の手順と、前記異なる波長の照射光ごとの前記画像成分から、最小又は最大の明度階調に対応する照射光を特定する第２の手順と、前記光源における前記第２の手順において特定された照射光の発光輝度を、前記光源の各波長の照射光に対する明度階調の差が減少する方向に所定量補正させる第３の手順と、を含み、前記第１及び第３の手順を繰り返し実行して、前記異なる波長の照射光ごとの明度階調が均一となるように設定することを特徴としている。
【００１８】
請求項１６記載の画像読取装置の駆動制御方法は、請求項１５記載の画像読取装置の駆動制御方法において、前記発光輝度を制御する手順は、少なくとも、赤色光、緑色光、青色光を、前記複数のセンサにおける前記入射光の受光時間と同期するタイミングで時系列的に発光することを特徴としている。
請求項１７記載の画像読取装置の駆動制御方法は、請求項１３乃至１６のいずれかに記載の画像読取装置の駆動制御方法において、前記最適な受光時間を求める手順は、明暗模様が施された基準パターンに対して、前記所定の照射光を照射し、前記複数のセンサにおける電荷蓄積時間を複数段階に変化させて前記基準パターンの画像データを読み取る手順と、前記電荷蓄積時間ごとの前記画像データに含まれる明度階調のダイナミックレンジに基づいて、最適電荷蓄積時間を求める手順と、前記最適電荷蓄積時間を前記受光時間として設定する手順と、を含むことを特徴としている。
【００１９】
すなわち、本発明に係る画像読取装置及びその駆動制御方法においては、明度階調（明度データ）のみを検出するモノクローム型のフォトセンサからなるセンサアレイ上に設けられた検知面に載置された被写体に、Ｒ、Ｇ、Ｂの各色の照射光を個別に照射して、該被写体のカラー画像を読み取る画像読取装置において、フォトセンサにおける、被写体に応じた最適な受光時間を設定するとともに、Ｒ、Ｇ、Ｂの各色の照射光を被写体に照射して、上記最適な受光時間で画像読取動作を行った場合における、フォトセンサにおける受光感度の色依存性に起因する差を抑制して、受光感度を均一化するように、Ｒ、Ｇ、Ｂの各色の照射光の発光輝度を個別に調整制御するように構成されている。
【００２０】
ここで、フォトセンサのＲ、Ｇ、Ｂの各色の照射光に対する受光感度を均一化する手法としては、均一な白色が施された基準パターンに対して、Ｒ、Ｇ、Ｂの各色の照射光を照射して、各色ごとの画像データ（明度データ）を取得し、各色相互の画像データの大小関係に基づいて、各色ごとの画像データの値が揃うように各色の照射光の発光輝度を個別に補正して、再度各色ごとの画像データを取得する処理手順を繰り返し実行することにより、フォトセンサのＲ、Ｇ、Ｂの各色に対する受光感度を均一化することができる。
【００２１】
また、フォトセンサにおける最適な受光時間を設定する手法としては、明暗模様を有する被写体に対して、被写体に反射してフォトセンサに入射する入射光における、入射光の量が最も多い波長に対応する色（例えば、赤色）の照射光を照射するとともに、フォトセンサの電荷蓄積時間を複数段階に変化させて上記基準パターンの画像データを読み取り、該画像データに含まれる明度データのダイナミックレンジの最大値を抽出することにより、該最大値のダイナミックレンジに対応する電荷蓄積時間を最適電荷蓄積時間として、これを画像読取動作の際の受光時間に設定することができる。
【００２２】
これにより、被写体画像の明暗パターンを良好なコントラストで読み取ることができる最適な受光時間を設定して、被写体画像をＲ、Ｇ、Ｂの各色の照射光を用いて時系列的に読み取る画像読取動作において、各色での受光時間を一定に設定することができるとともに、Ｒ、Ｇ、Ｂの各色の発光素子の発光輝度を個別に制御することにより、上記最適な受光感度で画像読取動作を行った場合における、フォトセンサの色依存性に基づく明度階調のバラツキを均一化することができるので、画像読取動作における各色の発光素子の発光時間及びフォトセンサの受光時間を同一の駆動タイミングに設定することができ、駆動制御を簡素化して装置の制御負担を軽減しつつ、被写体のカラー画像を良好に読み取ることができる。
【００２３】
また、被写体画像をカラー画像として読み取る場合であっても、被写体に適した色の照射光を用いた受光時間最適化動作により設定された受光感度の最適値を、他の色の照射光による画像読取動作の際にそのまま適用することができるので、受光時間最適化動作に要する処理負担を軽減して、所要時間を短縮することができる。
さらに、上記画像読取装置を構成するフォトセンサとして、半導体層からなるチャネル領域の上方及び下方にトップゲート電極及びボトムゲート電極を備え、トップゲート電極にリセットパルスを印加してセンサを初期化した後、ボトムゲート電極に読み出しパルスを印加することにより、初期化終了から読み出しパルスの印加までの電荷蓄積期間に、チャネル領域に蓄積された電荷に対応する電圧を出力する、いわゆる、ダブルゲート型フォトセンサを適用することにより、フォトセンサデバイスを構成する各フォトセンサを小型薄型化して、読取画素を高密度化することができ、被検出体の画像パターンを高精細な画像として読み取ることができる。
【００２４】
【発明の実施の形態】
以下に、本発明に係る画像読取装置の実施の形態について、詳しく説明する。
まず、本発明に係る画像読取装置に適用して良好なフォトセンサの構成について説明する。
本発明に係る画像読取装置に適用可能なフォトセンサとしては、上述したようなＣＣＤ等の固体撮像デバイスを良好に用いることができる。
【００２５】
ＣＣＤは、周知の通り、フォトダイオードや薄膜トランジスタ（ＴＦＴ：ＴｈｉｎＦｉｌｍ　Ｔｒａｎｓｉｓｔｏｒ）等のフォトセンサをライン状又はマトリクス状に配列した構成を有し、各フォトセンサの受光部に照射された光量に対応して発生する電子−正孔対の量（電荷量）を、水平走査回路及び垂直走査回路により検出し、照射光の輝度を検知するものであり、デジタルビデオカメラや複写機等、様々な撮像装置や画像読取装置に適用されている。
ところで、このようなＣＣＤを用いたフォトセンサシステムにおいては、走査された各フォトセンサを選択状態にするための選択トランジスタを各フォトセンサごとに個別に設ける必要があるため、検出精度の向上等に伴って検出画素数を増大させると、システム自体が大型化するという問題を有している。
【００２６】
そこで、近年、このような問題を解決するための構成として、フォトセンサ自体にフォトセンス機能と選択トランジスタ機能とを持たせた、いわゆる、ダブルゲート構造を有する薄膜トランジスタ（ダブルゲート型トランジスタ）が開発され、システムの小型化、及び、画素の高密度化を図る試みがなされている。本発明における画像読取装置においても、このダブルゲート型トランジスタを良好に適用することができる。
ダブルゲート型トランジスタやこれを適用したフォトセンサシステムの具体的な構造や動作については、概ね、以下に示す通りである。
【００２７】
＜ダブルゲート型フォトセンサ＞
図１は、本発明に係る画像読取装置に適用可能なダブルゲート型トランジスタによるフォトセンサ（以下、「ダブルゲート型フォトセンサ」と記す）の概略構成を示す断面構造図である。
図１（ａ）に示すように、ダブルゲート型フォトセンサ１０は、概略、励起光（ここでは、可視光）が入射されると、電子−正孔対が生成されるアモルファスシリコン等の半導体層（チャネル層）１１と、半導体層１１の両端に、各々ｎ＋シリコンからなる不純物層１７、１８を介して形成され、クロム、クロム合金、アルミ、アルミ合金等から選択された導電性材料からなり、可視光に対して不透明なドレイン電極１２及びソース電極１３と、半導体層１１の上方（図面上方）にブロック絶縁膜１４及び上部（トップ）ゲート絶縁膜１５を介して形成された酸化スズ膜やＩＴＯ膜（インジウム−スズ酸化膜）等の透明電極層からなり、可視光に対して透過性を示すトップゲート電極（第１のゲート電極）２１と、半導体層１１の下方（図面下方）に下部（ボトム）ゲート絶縁膜１６を介して形成されたクロム、クロム合金、アルミ、アルミ合金等から選択された導電性材料からなり、可視光に対して不透明なボトムゲート電極（第２のゲート電極）２２と、を有して構成されている。そして、このような構成を有するダブルゲート型フォトセンサ１０は、図１（ａ）に示すように、ガラス基板等の透明な絶縁性基板１９上に形成されている。
【００２８】
なお、図１（ａ）において、トップゲート絶縁膜１５、ブロック絶縁膜１４、ボトムゲート絶縁膜１６を構成する絶縁膜、及び、トップゲート電極２１上に設けられる保護絶縁膜２０は、いずれも半導体層１１を励起する可視光に対して高い透過率を有する材質、例えば、窒化シリコンや酸化シリコン等により構成されていることにより、図面下方に設けられた光源（図示を省略）からの照射光を図面上方に透過させるとともに、保護絶縁膜２０の上方に設けられた検知面に載置された被写体に反射して、図面上方からダブルゲート型フォトセンサ１０（詳しくは、半導体層１１）に入射する光のみを検知する構造を有している。
【００２９】
なお、このようなダブルゲート型フォトセンサ１０は、一般に、図１（ｂ）に示すような等価回路により表される。ここで、ＴＧはトップゲート電極２１に電気的に接続されたトップゲート端子、ＢＧはボトムゲート電極２２に電気的に接続されたボトムゲート端子、Ｓはソース電極１３に電気的に接続されたソース端子、Ｄはドレイン電極１２に電気的に接続されたドレイン端子である。
【００３０】
＜フォトセンサシステム＞
図２は、上述したダブルゲート型フォトセンサを絶縁性基板上に２次元配列して構成されるフォトセンサアレイを備えたフォトセンサシステムの概略構成図である。なお、ここでは、複数のダブルゲート型フォトセンサを２次元配列して構成されるフォトセンサアレイを示して説明するが、複数のダブルゲート型フォトセンサを、例えば、Ｘ方向に１次元配列してラインセンサアレイを構成し、該ラインセンサアレイをＸ方向に直交するＹ方向に移動させて２次元領域を走査（スキャン）するものであってもよい。
【００３１】
図２に示すように、フォトセンサシステムは、大別して、多数のダブルゲート型フォトセンサ１０を、例えば、ｎ行×ｍ列（ｎ、ｍは任意の自然数）のマトリクス状に配列したフォトセンサアレイ１００と、各ダブルゲート型フォトセンサ１０のトップゲート端子ＴＧ（トップゲート電極２１）を行方向に接続して伸延するトップゲートライン１０１と、各ダブルゲート型フォトセンサ１０のボトムゲート端子ＢＧ（ボトムゲート電極２２）を行方向に接続して伸延するボトムゲートライン１０２と、各ダブルゲート型フォトセンサ１０のドレイン端子Ｄ（ドレイン電極１２）を列方向に接続して伸延するドレインライン（データライン）１０３と、ソース端子Ｓ（ソース電極１３）を接地電位に共通に接続するソースライン（コモンライン）１０４と、トップゲートライン１０１に接続されたトップゲートドライバ１１０と、ボトムゲートライン１０２に接続されたボトムゲートドライバ１２０と、ドレインライン１０３に接続され、コラムスイッチ１３１、プリチャージスイッチ１３２、出力アンプ１３３等を備えてなるドレインドライバ１３０と、を有して構成されている。
【００３２】
なお、図２において、φｔｇは、リセット電圧（リセットパルス）及びキャリア蓄積電圧のいずれかとして選択的に出力される信号φＴ１、φＴ２、…φＴｉ、…φＴｎを生成するための制御信号であり、φｂｇは、読み出し電圧及び非読み出し電圧のいずれかとして選択的に出力される信号φＢ１、φＢ２、…φＢｉ、…φＢｎを生成するための制御信号、φｐｇは、プリチャージ電圧Ｖｐｇを印加するタイミングを制御するプリチャージ信号である。
【００３３】
図３は、上述したフォトセンサシステムにおける基本的な駆動制御方法を示すタイミングチャートである。
図３に示すように、まず、リセット動作（初期化動作）においては、トップゲートドライバ１１０によりトップゲートライン１０１を介して、ｉ行目（ｉは任意の自然数；ｉ＝１、２、・・・ｎ）のダブルゲート型フォトセンサ１０のトップゲート端子ＴＧにリセットパルス（例えば、Ｖｔｇ＝＋１５Ｖのハイレベル）φＴｉを印加して、半導体層１１、及び、ブロック絶縁膜１４における半導体層１１との界面近傍に蓄積されているキャリヤ（ここでは、正孔）を放出する（リセット期間Ｔｒｓｔ）。
【００３４】
次いで、電荷蓄積動作（キャリヤ蓄積動作）においては、トップゲートドライバ１１０によりトップゲート端子ＴＧにローレベル（例えば、Ｖｔｇ＝−１５Ｖ）のバイアス電圧φＴｉを印加することにより、リセット動作を終了し、キャリヤ蓄積動作による電荷蓄積期間Ｔａがスタートする。電荷蓄積期間Ｔａにおいては、トップゲート電極２１側から入射した光量に応じて半導体層１１の入射有効領域（キャリヤ発生領域）で電子−正孔対が生成され、半導体層１１、及び、ブロック絶縁膜１４における半導体層１１との界面近傍（チャネル領域周辺）に正孔が蓄積される。
【００３５】
そして、プリチャージ動作においては、上記電荷蓄積期間Ｔａに並行して、ドレインドライバ１３０によりプリチャージ信号φｐｇに基づいてドレインライン１０３を介して、ドレイン端子Ｄにプリチャージパルス（プリチャージ電圧）Ｖｐｇを印加し、ドレイン電極１２に電荷を保持させる（プリチャージ期間Ｔｐｒｃｈ）。
次いで、読み出し動作においては、上記プリチャージ期間Ｔｐｒｃｈを経過した後、ボトムゲートドライバ１２０によりボトムゲートライン１０２を介して、ボトムゲート端子ＢＧにハイレベル（例えば、Ｖｂｇ＝＋１０Ｖ）の読み出しパルスφＢｉを印加することにより、電荷蓄積期間Ｔａにチャネル領域に蓄積されたキャリヤ（正孔）に応じたドレイン電圧ＶＤがドレインドライバ１３０（コラムスイッチ１３１）により読み出される（読み出し期間Ｔｒｅａｄ）。
【００３６】
ここで、ドレイン電圧ＶＤの変化傾向は、電荷蓄積期間Ｔａに受光した光量に密接に関連し、電荷蓄積期間Ｔａに蓄積されたキャリヤが多い場合（明状態）には、ドレイン電圧ＶＤが急峻に低下する傾向を示し、一方、蓄積されたキャリヤが少ない場合（暗状態）には緩やかに低下する傾向を示すので、例えば、読み出し期間Ｔｒｅａｄの開始から所定の時間経過後のドレイン電圧ＶＤ（＝Ｖｒｄ）を検出することにより、ダブルゲート型フォトセンサ１１０に入射した光の量、すなわち、被写体の明暗パターンに対応した明度データを検出することができる。
【００３７】
すなわち、トップゲートドライバ２１０からトップゲートライン１０１を介して、トップゲート端子ＴＧに信号φＴｉを印加することにより、フォトセンス機能が実現され、ボトムゲートドライバ２２０からボトムゲートライン１０２を介して、ボトムゲート端子ＢＧに信号φＢｉを印加し、ドレインライン１０３を介してドレイン電圧をドレインドライバ２３０に取り込んで、シリアルデータ又はパラレルデータの出力電圧Ｖｏｕｔとして出力することにより、選択読み出し機能が実現される。
そして、このような特定の行（ｉ行目）に対する一連の画像読取動作を１サイクルとして、上述したフォトセンサアレイ１００の各行（ｉ、ｉ＋１、・・・）に対して、同等の処理手順を繰り返すことにより、ダブルゲート型フォトセンサを用いたフォトセンサシステムを、被写体の２次元画像を明度データとして読み取るモノクローム型の画像読取装置として動作させることができる。
【００３８】
＜画像読取装置＞
次に、本発明に係る画像読取装置の全体構成について、一実施形態を示して説明する。なお、以下に示す実施形態においては、フォトセンサとして、上述したダブルゲート型フォトセンサを適用した場合を示し、適宜、その構成及び駆動制御方法を参照するものとする。
図４は、本発明に係る画像読取装置の全体構成の一実施形態を示すブロック図である。なお、図２に示したフォトセンサシステムと同等の構成については、同一の符号を付して、その説明を簡略化又は省略する。
【００３９】
図４に示すように、本実施形態に係る画像読取装置は、大別して、図２に示したフォトセンサシステムと同様の構成を有するフォトセンサアレイ１００と、トップゲートドライバ１１０と、ボトムゲートドライバ１２０と、コラムスイッチ１３１、プリチャージスイッチ１３２、アンプ１３３からなるドレインドライバ１３０と、に加え、ドレインドライバ１３０を介して読み出されたドレイン電圧（アナログ信号）をデジタル信号からなる画像出力信号（画像データ）に変換するアナログ−デジタル変換器（以下、「Ａ／Ｄコンバータ」と記す）１４０と、フォトセンサアレイ１００が形成されたガラス基板１９の背面側に配置され、フォトセンサアレイ１００上に載置された被写体に所定の照射光を照射するバックライト（光源）ＢＬと、フォトセンサアレイ１００による被写体画像の読み取り動作制御や、画像データの照合、加工等の所定の処理を実行する外部機能部２００とのデータのやり取り等を行うとともに、後述するフォトセンサアレイ１００における受光時間最適化動作、及び、バックライト用電源１８０を制御してバックライトＢＬにおける発光輝度調整動作を実行する機能を備えたコントローラ（受光時間最適化手段、発光輝度調整手段）１５０と、コントローラ１５０のワークエリアとして用いられ、取得した画像データやフォトセンサアレイ１００の画像読取感度（受光感度）、バックライトＢＬの発光輝度の設定等に関連する処理データ等を一時的に保存（記憶）するＲＡＭ１６０と、コントローラ１５０の制御プログラムや制御用各種データを保持するＲＯＭ１７０と、を有して構成されている。
【００４０】
バックライトＢＬは、例えば、異なる波長を有する単色光を発光する複数の発光素子（発光源）と、透明なアクリル等の合成樹脂板により構成され、各発光から発せられて入射した光を板内部で均一に散乱させ、フォトセンサアレイ１００の背面側（図１に示したダブルゲート型フォトセンサ１０の絶縁性基板１９側）から上面側（図１に示したダブルゲート型フォトセンサ１０の保護絶縁膜２０側）に設けられた検知面に載置された被写体に略均一に照射光を照射する導光板と、を有して構成される面光源である。ここで、上記発光素子としては、例えば、光の３原色である赤色（Ｒ）、緑色（Ｇ）、青色（Ｂ）の光を単独で発光することができる電流駆動型（又は、電流制御型）の発光素子、具体的には、発光ダイオード（ＬＥＤ）や有機ＥＬ素子等を良好に適用することができる。
【００４１】
バックライトＢＬは、後述するコントローラ１５０からの発光色切換信号Ｓｃに基づいて、複数の発光素子のうち、所定の発光色の発光素子を選択する制御回路を備え、該発光色切換信号Ｓｃに同期して、コントローラ１５０から出力される発光輝度制御信号Ｓｂに基づいて、バックライト用電源１８０によりバックライトＢＬ（各発光素子）に供給される駆動電流の電流値が設定され、該駆動電流により、各発光素子が所定の発光輝度で発光動作する。ここで、バックライト用電源１８０は、例えば、デジタル信号からなる上記発光輝度制御信号Ｓｂを、デジタル−アナログ変換することによりアナログ電圧に変換し、該アナログ電圧に基づいて、上記電流駆動型の発光素子に供給する駆動電流の電流値を設定するように構成されている。したがって、コントローラ１５０により発光輝度制御信号Ｓｂのデジタル値を変更制御することにより、上記基準電圧を任意に変更して駆動電流の電流値を可変的に制御することができる。
【００４２】
コントローラ１５０は、トップゲートドライバ１１０及びボトムゲートドライバ１２０に制御信号φｔｇ、φｂｇを出力することにより、図３に示したように、トップゲートドライバ１１０及びボトムゲートドライバ１２０の各々から、所定のタイミングで各ダブルゲート型フォトセンサ１０のトップゲート端子ＴＧ及びボトムゲート端子ＢＧに所定の信号電圧（リセットパルスφＴｉ、読み出しパルスφＢｉ）を印加するとともに、電荷蓄積期間Ｔａに、プリチャージスイッチ１３２にプリチャージパルスφｐｇを出力することにより、各ダブルゲート型フォトセンサ１０のドレイン端子Ｄにプリチャージ電圧Ｖｐｇを印加する動作を制御する。
【００４３】
これにより、コントローラ１５０には、被写体の画像パターンに対応して各ダブルゲート型フォトセンサ１０に蓄積された電荷量に応じたドレイン電圧ＶＤがコラムスイッチ１３１により検出され、アンプ１３３及びＡ／Ｄコンバータ１４０を介してデジタル信号に変換されて、画像データとして入力される。コントローラ１５０は、この画像データに対して、所定の画像処理を施したり、ＲＡＭ１６０への書き込み、読み出しを行うとともに、画像データの照合や加工等の所定の処理を実行する外部機能部２００に対するインターフェースとしての機能をも備えている。なお、外部機能部２００としては、任意の画像処理や画像表示を行うことができる機器であればよく、近年急速に普及し、高性能化が著しいパーソナルコンピュータ等を良好に適用することができる。
【００４４】
さらに、コントローラ１５０は、後述するように、トップゲートドライバ１１０及びボトムゲートドライバ１２０に出力する制御信号を変更制御することにより、正規の画像読み取り動作に先立って、又は、任意のタイミングで独立して、受光時間調整用の基準パターン（第１の基準パターン）を読み取る動作を実行して、明暗パターンからなる被写体画像を最適に読み込むことができる受光時間、すなわち、ダブルゲート型フォトセンサ１０の最適な電荷蓄積時間Ｔａを設定する機能（受光時間最適化動作）、及び、該受光時間最適化動作により設定された電荷蓄積期間Ｔａにおいて、受光感度均一化用の基準パターン（第２の基準パターン）を上記バックライトＢＬから発光される、異なる波長の光（Ｒ、Ｇ、Ｂの各色の照射光）により読み取る動作を実行して、ダブルゲート型フォトセンサ１０における受光感度の波長（色）依存性に基づく明度階調の差を補正して均一化するように、バックライトＢＬの各発光素子の発光輝度を調整する機能（発光輝度調整動作）を有している。
【００４５】
＜コントローラ＞
次に、本実施形態に係るフォトセンサシステムに適用されるコントローラの具体的な構成及び動作について、図面を参照して、さらに詳しく説明する。
まず、コントローラの具体的な構成について説明する。
図５は、本実施形態に係るフォトセンサシステムに適用されるコントローラの一構成例を示す概念的なブロック図である。
【００４６】
図５に示すように、本実施形態におけるコントローラ１５０は、大別して、トップゲートドライバ１１０やボトムゲートドライバ１２０、プリチャージスイッチ１３２における動作を制御するデバイスコントローラ１５１と、ＲＡＭ１６０やＲＯＭ１７０との間でデータ等の書き込み／読み出し等を行い、各種データを管理するデータコントローラ１５２と、これらのコントローラ１５１、１５２を所定の制御プログラムにしたがって統括するとともに、外部機能部２００等とのインターフェースを担い、制御信号のやり取りを行うメインコントローラ１５３と、を有している。
また、コントローラ１５０は、演算処理部として、データ比較器１５４、加算器１５５及びデータセレクタ１５６を備え、また、デバイス制御補助部として、感度設定レジスタ１５７及びバックライト発光制御部１５８を備えている。
【００４７】
データ比較器１５４は、受光時間最適化動作において、受光時間を変化させつつ読み取った基準パターン（第１の基準パターン）の画像データに基づいて、該画像データに含まれる、各受光時間におけるダブルゲート型フォトセンサの明度データ（明度階調）相互の大小関係を比較して、飽和値を除く最大値及び最小値を抽出するとともに、加算器１５５により各受光時間ごとに算出されるダイナミックレンジ（明度データ群のデータ範囲）から最大値を抽出する。
また、発光輝度調整動作においては、上記受光時間最適化動作において、ダイナミックレンジの最大値に基づいて設定される受光時間の最適値（最適受光時間）を用いて、異なる色の照射光を照射して読み取った基準パターン（第２の基準パターン）の各色ごとの画像データ（画像成分）に基づいて、該画像データに含まれる明度データ（明度階調）相互の大小関係を比較して、例えば、最小値を抽出して該最小値の発光色を抽出する。
【００４８】
加算器１５５は、データ比較器１５４により抽出された明度データの最大値及び最小値の差分からダイナミックレンジを算出する。
データセレクタ１５６は、Ａ／Ｄコンバータ１４０、データ比較器１５４、加算器１５５を介して処理された画像データ及び処理済みデータを入力とし、これらのデータを必要に応じてＲＡＭ１６０への書き込みや読み出し、あるいは、データ比較器１５４や加算器１５５への再入力、データコントローラ１５２を介して外部機能部２００への出力等を切換制御する。
【００４９】
また、感度設定レジスタ１５７は、データコントローラ１５２からの制御信号に基づいて、フォトセンサアレイ１００の受光時間を最適化するように、デバイスコントローラ１５１からトップゲートドライバ１１０及びボトムゲートドライバ１２０に出力する制御信号φｔｇ、φｂｇのタイミングを設定制御する。
バックライト発光制御部１５８は、データコントローラ１５２からの制御信号に基づいて、受光時間の最適値（最適受光時間）に応じたタイミングで、バックライトＢＬに備えられたＲ、Ｇ、Ｂの３色の発光素子を選択的に順次発光動作させるように切り換え制御を行う。この状態で、バックライト用電源１８０から所定の電流値を有する駆動電流が各発光素子に個別に供給されることにより、選択状態にある発光素子が、駆動電流の電流値に応じた所定の発光輝度で発光する。
【００５０】
＜画像読取装置の全体動作（第１の実施例）＞
次に、上述した構成を有する画像読取装置における一連の画像読取動作について、図面を参照しながら説明する。
図６は、本発明に係る画像読取装置の全体動作の第１の実施例を示すフローチャートである。
【００５１】
本実施形態に係る画像読取装置においては、概略、図６に示すように、所望の被写体に対する正規の画像読取動作に先立つ任意のタイミングで、もしくは、該正規の画像読み取り動作とは独立した任意のタイミング（例えば、製品出荷前の画像読取装置の初期設定工程等）で、フォトセンサアレイ１００を構成するダブルゲート型フォトセンサ１０の読取条件設定を最適化して、被写体画像を読み取る際の受光時間を最適な値に設定する受光時間最適化動作（Ｓ１０１）と、各ダブルゲート型フォトセンサ１０における入射光の波長の違い（受光色）に対する依存性に起因する受光感度を均一化するように、バックライトＢＬの各色の発光素子における発光輝度を個別に制御する発光輝度調整動作（Ｓ１０２）と、所望の被写体に対して、Ｒ、Ｇ、Ｂの各色の照射光を時系列的に照射して、各色ごとの画像データを順次読み取り、パーソナルコンピュータ等の外部機能部２００へ転送し、各色の画像データを合成することにより被写体のカラー画像を生成する正規の画像読取動作（Ｓ１０３〜Ｓ１１２）と、からなる一連の処理動作を順次実行される。ここで、上記一連の処理動作は、コントローラ１５０によって、例えば、ＲＯＭ１７０にあらかじめ格納された制御プログラムがＲＡＭ１６０にロードされて実行されることにより実現される。
【００５２】
以下、受光時間最適化動作、発光輝度調整動作及び正規の画像読取動作の各動作について、具体的に説明する。
＜受光時間最適化動作＞
図７は、本実施形態に係る画像読取装置の受光時間最適化動作の一例を示すフローチャートであり、図８は、本実施形態に係る受光時間最適化動作に適用可能な受光時間（電荷蓄積時間）の設定例を示すタイミングチャートである。
【００５３】
図７に示すように、受光時間最適化動作においては、まず、メインコントローラ１５３により、データコントローラ１５２を介してＲＯＭ１７０等に格納された調整用の受光時間に関するデータが読み出され、感度設定レジスタ１５７に異なる受光時間が順次設定されて、該受光時間によりフォトセンサアレイ１００上に設けられた検知面に載置された基準パターン（第１の基準パターン）を読み取る動作（以下、便宜的に「感度調整用読取動作」と記す）を実行する（Ｓ１１）。
【００５４】
ここで、受光時間最適化動作に適用される基準パターン（第１の基準パターン）としては、少なくとも、明暗模様が鮮明に施された対象物であることが好ましく、被写体の画像パターンに含まれる明暗成分が鮮明な場合には、被写体をそのまま基準パターンとして適用することもできる。
また、このとき、メインコントローラ１５３により、バックライト発光制御部１５８を介して、バックライトＢＬから基準パターンに対して照射される光が、バックライトＢＬの発光色の何れかの単色光（例えば、赤色光）となるように、バックライトＢＬの発光色（発光可能な発光素子）を切り換え設定する。ここで、この受光時間最適化動作を行う際に設定するバックライトＢＬの発光色は、高い感度を得るため、フォトセンサ１０に入射する入射光において、入射光の量が最も多い波長成分に対応する発光色とすることが好ましい。すなわち、例えば、本実施形態に係る画像読取装置を指紋読取装置に適用し、被写体として人の指を用いる場合、指は通常、赤みを帯びているため、赤色光が多く反射される特性を有する。従って、その場合、バックライトＢＬの発光色としては、赤色光を用いることが好ましい。
【００５５】
感度設定レジスタ１５７に設定される受光時間（すなわち、フォトセンサアレイ１００を構成する各フォトセンサ１０に設定される電荷蓄積期間）は、例えば、フォトセンサアレイ１００の行ごと、あるいは、所定の複数行ごと、もしくは、上記基準パターンの１画面ごとに、段階的に異なるように設定される。
具体的には、上述したフォトセンサシステム１００（ダブルゲート型フォトセンサ１０）における駆動制御方法（図３参照）を基本として、例えば、図８に示すように、まず、フォトセンサアレイ１００を構成する全てのダブルゲート型フォトセンサ１０に対して、一括して同時にリセットパルスφＴ１、φＴ２、…φＴｎを印加してリセット動作を実行することにより、電荷蓄積動作を開始した後、各行ごとのダブルゲート型フォトセンサ１０に印加されるプリチャージ信号φｐｇ及び読み出しパルスφＢ１、φＢ２、…φＢｎを所定の時間間隔（遅れ時間Ｔｄｅｌａｙ）で段階的に変化させることにより、各行ごとのダブルゲート型フォトセンサ１０におけるプリチャージ動作及び読み出し動作のタイミングを順次異ならせて、各行ごとに設定される電荷蓄積期間Ｔ１、Ｔ２、…Ｔｎ−１、Ｔｎを上記時間間隔（Ｔｄｅｌａｙ）で相互に変化させるように制御して、基準パターンを読み取る動作を実行する。
【００５６】
これにより、１回（１画面分）の画像読取動作により、基準パターンを複数の異なる受光時間で読み取った画像データを取得することができる。そして、このような感度調整用読取動作により得られた画像データは、例えば、一旦データセレクタ１５６を介してＲＡＭ１６０に保存されるか、もしくは、直接データ比較器１５４に入力される。なお、本発明に適用可能な受光時間（電荷蓄積時間）の設定方法は、図８に示したものに限定されるものではなく、他の手法を適用するものであってもよいことはいうまでもない。
【００５７】
次いで、データコントローラ１５２によりデータセレクタ１５６を介して、上記ステップＳ１１により得られた画像データから、各受光時間ごとの明度データを抽出してデータ比較器１５４に読み込む（Ｓ１２）。データ比較器１５４は、例えば、読み込まれた明度データから、予め設定された飽和状態に該当する（例えば、予め想定される明度データの数値範囲を逸脱する）明度データを除去して明度データの適正化を行った後（Ｓ１３）、残りの明度データの最大値及び最小値を抽出し（Ｓ１４）、直接又はＲＡＭ１６０への一時保存後、加算器１５５に入力する。なお、前述のステップＳ１３における明度データから飽和データを除去する処理は、フォトセンサアレイ１００の欠陥画素や異物による異常値を除去するために行うものであって、必ず必要なものではなく、省略するようにしてもよい。
【００５８】
加算器１５５は、各受光時間ごとに抽出された明度データの最大値と最小値の差分から明度データのデータ範囲、すなわち、ダイナミックレンジを算出し（Ｓ１５）、その結果をデータセレクタ１５６を介して、ＲＡＭ１６０に一旦保存する。このようなダイナミックレンジの算出処理を受光時間ごとの画像データについて実行する。
【００５９】
次いで、ＲＡＭ１６０に保存された各受光時間ごとのダイナミックレンジをデータセレクタ１５６を介して、データ比較器１５４に読み込み、受光時間に対するダイナミックレンジの変化傾向から、ダイナミックレンジが最大となる極大値を抽出する（Ｓ１６）。メインコントローラ１５３は、極大値となるダイナミックレンジに対応する受光時間を、基準パターンに施された明暗模様を良好なコントラストで読み取ることができる最適な受光時間であると判断し、データコントローラ１５２を介して感度設定レジスタ１５７に所定の制御信号を出力し、上記最適な受光時間（電荷蓄積期間）を設定して（Ｓ１７）、受光時間最適化動作を終了する。これにより、波長（発光色）の異なるいずれの照射光を用いて画像読取動作を行う場合であっても、上記最適な受光時間（電荷蓄積期間）が用いられる。
【００６０】
＜発光輝度調整動作＞
図９は、本実施形態に係る画像読取装置の発光輝度調整動作の一例を示すフローチャートである。
図９に示すように、発光輝度調整動作においては、まず、メインコントローラ１５３により、上記受光時間最適化動作により得られた最適な受光時間（電荷蓄積期間）を感度設定レジスタ１５７に設定するとともに、バックライト発光制御部１５８にバックライトＢＬにおける発光色を規定する制御信号を出力して、バックライトＢＬに備えられた複数の発光素子のうち、指定された発光色（例えば、赤色）の発光素子を選択して発光可能な状態に設定する。また、メインコントローラ１５３により、画像読取装置の外部に設けられたバックライト用電源１８０に対して、初期値となる電流値を有する駆動電流をバックライトＢＬに供給するように基準電圧Ｖｓ（初期値）を設定する。
【００６１】
ここで、初期値となる基準電圧Ｖｓは、例えば、メインコントローラ１５３により、データコントローラ１５２を介してＲＯＭ１７０等に格納された基準電圧の初期値に関するデータが読み出され、バックライト用電源１８０にデジタル信号からなる発光輝度制御信号Ｓｂとして出力され、該発光輝度制御信号Ｓｂをデジタル−アナログ変換することによりアナログ電圧として生成される。
これにより、検知面に載置された基準パターン（第２の基準パターン）を、最適な受光時間（電荷蓄積期間）で、赤色（Ｒ）の照射光により読み取る動作（以下、便宜的に「輝度調整用読取動作」と記す）を実行する（Ｓ２１）。
【００６２】
次いで、メインコントローラ１５３により、バックライト発光制御部１５８に上記輝度調整用読取動作（ステップＳ２１）とは異なる発光色（例えば、緑色）を規定する制御信号を出力して緑色（Ｇ）の発光素子を選択し、上記と同等の輝度調整用読取動作を実行して、上記基準パターンを最適な受光時間で緑色の照射光により読み取る動作を実行する（Ｓ２２）。
さらに、メインコントローラ１５３により、バックライト発光制御部１５８に上記輝度調整用読取動作（ステップＳ２１、Ｓ２２）とは異なる発光色（例えば、青色）を規定する制御信号を出力して青色（Ｂ）の発光素子を選択し、上記と同等の輝度調整用読取動作を実行して、上記基準パターンを最適な受光時間で青色の照射光により読み取る動作を実行する（Ｓ２３）。
【００６３】
ここで、上記輝度調整用読取動作に適用される基準パターン（第２の基準パターン）としては、少なくとも、明暗模様が施されていない白色の均一な対象物であることが好ましい。また、輝度調整用読取動作は、上述したフォトセンサシステム１００（ダブルゲート型フォトセンサ１０）における駆動制御方法（図３参照）を基本として、各発光色ごとに基準パターンを複数回（Ｒ、Ｇ、Ｂの場合には３回）繰り返し読み取るものであればよい。具体的なタイミングチャートについては図示を省略するが、後述する正規の画像読取動作におけるタイミングチャート（図１１参照）と同等の動作制御を適用することができる。
【００６４】
これにより、単一の白色の基準パターンを複数の異なる発光色の光で照射して読み取った画像データを取得することができる。そして、このような輝度調整用読取動作により得られた画像データは、例えば、一旦データセレクタ１５６を介してＲＡＭ１６０に保存されるか、もしくは、直接データ比較器１５４に入力される。
【００６５】
次いで、データコントローラ１５２によりデータセレクタ１５６を介して、上記ステップＳ２１〜Ｓ２３により得られた画像データから、各発光色ごとの明度データを抽出してデータ比較器１５４に読み込み、各明度データ相互を比較して（Ｓ２４）、その大小関係を判別する（Ｓ２５）。そして、各発光色ごとの明度データが均一でなかった場合、例えば、各発光色ごとの明度データから最小値を抽出し、データコントローラ１５２により該最小となる明度データの発光色を特定する（Ｓ２６）。
【００６６】
次いで、メインコントローラ１５３は、上記最小となる明度データの発光色に対する発光輝度制御信号Ｓｂのデジタル値を所定値だけ増加させて、当該発光色の発光素子に供給される駆動電流の電流値を一定値だけ増加させ、当該発光色の発光輝度を上昇補正する（Ｓ２７）。
次いで、上述した輝度調整用読取動作（ステップＳ２１〜Ｓ２３）を再度繰り返し実行する。
【００６７】
そして、このような発光色ごとの発光輝度を調整して再度読み取った基準パターンの画像データ（明度データ）に基づいて、各発光色ごとの明度データの比較（均一であるか否かの判断）、及び、（均一でない場合の）最小明度となる発光色の特定、発光輝度制御信号Ｓｂの変更設定、基準パターンの再読み取り時における発光輝度の補正からなる一連の処理手順（ステップＳ２４〜Ｓ２７）を繰り返し実行することにより、図１３に示したような、発光素子の発光色に対する受光感度特性の相違が補正されて、均一化される。該補正後の発光輝度制御信号Ｓｂのデジタル値（すなわち、各発光色の発光素子に供給される駆動電流の電流値に対応する設定値）は、メインコントローラ１５３によりデータコントローラ１５２を介して、ＲＡＭ１６０等に保存され（Ｓ２８）、発光輝度調整動作が終了する。これにより、フォトセンサアレイ１００（ダブルゲート型フォトセンサ１０）における受光色に対する感度特性が均一化されるので、上記基準パターンを正常に白色として読み取ることができるようにフォトセンサアレイ１００及びバックライトＢＬの双方が設定されたことになる。
【００６８】
なお、上記構成においては、基準パターンに対する明度データが最小となる発光色を抽出して、その発光色の発光輝度を高く補正するようにしており、すなわち、明度データの最大値に全部の発光色の明度データを揃えるようにしている。しかし、本発明はこれに限るものではなく、要するに、バックライトＢＬの各発光色に対する明度データの値が均一になるように、各発光色の発光輝度が設定されればよいものである。そこで、例えば、各発光色ごとの明度データから、最大値を抽出し、対応する発光色を特定し、この発光色の発光素子の発光輝度を低下補正させるようにして、明度データの最小値に全部の発光色の明度データを揃えるようにしてもよい。
【００６９】
ここで、バックライトＢＬを構成する発光素子として発光ダイオードを適用した場合の発光輝度の補正制御について具体的に説明する。
図１０は、本実施形態に係る画像読取装置のバックライトに適用可能な発光素子の印加電流と発光輝度（放射強度）との関係を示す図である。
図１０に示すように、赤色、緑色、青色の各発光ダイオードにおける印加電流と発光輝度（放射強度）との関係は、いずれの発光色においても、印加電流を指数関数的に増加させると、発光輝度も指数関数的に増加する特性を示す。このことから、上記発光輝度調整動作において、各発光色ごとの発光素子（発光ダイオード）の発光輝度を補正する際に、メインコントローラ１５３からバックライト用電源１８０に出力する発光輝度制御信号Ｓｂのデジタル値を、等間隔となる一定値ずつ変化させて、発光素子に供給される駆動電流の電流値を等間隔で変更設定することにより、発光素子の発光輝度を略等間隔で変更制御することができる。なお、このような発光ダイオードを発光素子に適用し、上述したような一連の発光輝度調整動作を行った場合の赤色、緑色、青色の各発光ダイオードにおける発光輝度の比は、一例として、Ｒ：Ｇ：Ｂ＝１０：６：１に設定される。
【００７０】
＜正規の画像読取動作＞
図１１は、本実施形態に係る画像読取装置の正規の画像読取動作の一例を示すタイミングチャートである。なお、ここでは、図６に示した画像読取装置の全体動作のフローチャートを参照しながら説明する。
図６に示すように、正規の画像読取動作においては、上述したフォトセンサシステム１００（ダブルゲート型フォトセンサ１０）における駆動制御方法（図３参照）を基本として、フォトセンサアレイ１００上の検知面に載置された所望の被写体に対して、Ｒ、Ｇ、Ｂの各色の照射光を個別に照射して、各色ごとの画像データを読み取る動作を時系列的に実行する。
【００７１】
具体的には、図１１に示すように、まず、トップゲートドライバ１１０から各行ごとのダブルゲート型フォトセンサ１０に、リセットパルスφＴ１、φＴ２、…φＴｎを順次印加して初期化するとともに（リセット期間Ｔｒｓｔ）、該リセットパルスφＴ１、φＴ２、…φＴｎが順次立ち下がりと同時に、メインコントローラ１５３によりバックライト発光制御部１５８を介して切り換え設定された所定の発光色（例えば、赤色）の発光素子が、上述した発光輝度調整動作により設定された発光輝度で発光動作して、赤色の照射光を検知面に載置された被写体に照射するとともに（Ｓ１０３）、上述した受光時間最適化動作により設定された電荷蓄積期間Ｔａがスタートする。これにより、被写体の明暗パターンに応じて反射し、各行ごとのダブルゲート型フォトセンサ１０のチャネル領域（半導体層１１）に入射する光量に応じた電荷（正孔）が発生し、蓄積される。
【００７２】
そして、各行ごとのダブルゲート型フォトセンサ１０に対して、電荷蓄積期間Ｔａ内であって読み出し期間Ｔｒｅａｄの直前に、ドレインドライバ１３０から全てのドレインライン１０３にプリチャージ電圧Ｖｐｇを印加して各行ごとのダブルゲート型フォトセンサ１０のドレイン電極に所定の電圧を保持させるプリチャージ動作を行い（プリチャージ期間Ｔｐｒｃｈ）、電荷蓄積期間Ｔａ及びプリチャージ期間Ｔｐｒｃｈが終了した行のダブルゲート型フォトセンサ１０に対して、ボトムゲートドライバ１２０からボトムゲートライン１０２を介して、読み出しパルスφＢ１、φＢ２、…φＢｎを順次印加して、各ダブルゲート型フォトセンサ１０に蓄積された電荷に対応するドレイン電圧ＶＤの変化を、ドレインドライバ１３０により検出し、出力電圧Ｖｏｕｔとして読み出す（読み出し期間Ｔｒｅａｄ）。
【００７３】
このような所定の行に対する一連の処理手順をフォトセンサアレイ１００の全ての行に対して、順次繰り返し実行することにより、被写体全体の画像が画像データとして取得される（Ｓ１０４）。
そして、上述したような画像読取動作により赤色の照射光を用いて読み取られた被写体の画像データ（明度データ）は、例えば、データセレクタ１５６を介して直接、もしくは、一旦データセレクタ１５６を介してＲＡＭ１６０に保存された後、パーソナルコンピュータ等の外部機能部２００へ転送される（Ｓ１０５）。
【００７４】
ここで、読み出しパルスφＢ１、φＢ２、…φＢｎの印加タイミングは、図１１に示すように、他の行におけるリセット動作、プリチャージ動作及び読み出し動作のための各信号の印加タイミングと時間的に重ならないタイミングになるように設定する。すなわち、行ごとのリセットパルスφＴ１、φＴ２、φＴ３、…φＴｎ、読み出しパルスφＢ１、φＢ２、φＢ３、…φＢｎ、及び、プリチャージパルスφｐｇの印加タイミングの間隔（Ｔｄｅｌａｙ）を、次の（１）式に示すように、リセットパルスによるリセット期間Ｔｒｓｔと、読み出しパルスによる読み出し期間Ｔｒｅａｄと、プリチャージパルスによるプリチャージ期間Ｔｐｒｃｈとの合計時間、又は、それ以上に設定する。
Ｔｄｅｌａｙ＝Ｔｒｓｔ＋Ｔｐｒｃｈ＋Ｔｒｅａｄ　　　　　　　　・・・（１）
【００７５】
これにより、リセット動作、プリチャージ動作、読み出し動作が時間的に重なって実行されることがなく、さらに、各行ごとの処理サイクルの一部を時間的にオーバーラップさせることができるので、全ての行におけるリセット動作が終了する前に読み出し動作を行うことができ、被写体画像の読取動作に要する時間が大幅に短縮される。
【００７６】
次いで、メインコントローラ１５３によりバックライト発光制御部１５８を介して切り換え設定された所定の発光色（例えば、緑色）の発光素子を、上述した発光輝度調整動作により設定された発光輝度で発光動作させて（Ｓ１０６）、上述した赤色の照射光を用いた被写体画像の読取動作と同様にして、緑色の照射光を用いて被写体を読み取り（Ｓ１０７）、読み取られた被写体の画像データを外部機能部２００に転送する（Ｓ１０８）。
【００７７】
さらに、メインコントローラ１５３により切り換え設定された所定の発光色（例えば、青色）の発光素子を、上述した発光輝度調整動作により設定された発光輝度で発光動作させて（Ｓ１０９）、青色の照射光を用いて被写体を読み取り（Ｓ１１０）、読み取られた被写体の画像データを外部機能部２００に転送する（Ｓ１１１）。
次いで、外部機能部２００は、画像読取装置から転送されたＲ、Ｇ、Ｂの各色の画像データを色データに関連付けて合成することにより、被写体のカラー画像を生成する（Ｓ１１２）。該カラー画像は、例えば、モニタ等の表示装置に表示したり、参照画像との照合や複写等の所望の画像処理に用いられる。
【００７８】
このように、本実施形態に係る画像読取装置及びその駆動制御方法によれば、受光時間最適化動作により、明暗パターンを良好なコントラストで読み取ることができる最適な受光時間（フォトセンサの電荷蓄積時間）を設定するとともに、発光輝度調整動作により、該受光時間で画像読取動作を行った場合に、フォトセンサの波長依存性に基づく明度階調の相違を補正して均一化するように、Ｒ、Ｇ、Ｂの各色の発光素子の発光輝度を制御することにより、Ｒ、Ｇ、Ｂの各色の照射光を用いて単一の被写体画像を読み取り、カラー画像を生成する場合であっても、各色での画像読取動作における電荷蓄積期間が一定になるように設定され、かつ、各色での受光感度が均一化されるので、被写体画像を読み取る正規の画像読取動作における各色でのバックライト（発光素子）の発光時間及びフォトセンサの受光時間を同一の駆動タイミングに設定することができ、駆動制御を簡素化して装置の制御負担を軽減することができる。
【００７９】
また、被写体画像をカラー画像として読み取る場合であっても、被写体に適した色の照射光を用いた受光時間最適化動作により設定された受光時間の最適値を、他の色の照射光による画像読取動作の際にそのまま適用することができるので、発光素子の発光色の各々についてフォトセンサの受光時間を調整する場合に比較して、該受光時間調整動作（受光時間最適化動作）に要する時間を大幅に短縮することができる。
【００８０】
なお、上述した実施形態においては、バックライトに備えられる各色の発光素子の発光輝度を調整、設定する構成として、画像読取装置の内部に、メインコントローラ１５３から出力される発光輝度制御信号Ｓｂをデジタル−アナログ変換して、アナログ電圧からなる基準電圧に基づいて、各色の発光素子に供給する駆動電流の電流値を設定するバックライト用電源１８０と、各色の照射光を用いて輝度調整用読取動作を行って取得した画像データに含まれる明度データ相互の比較を行うデータ比較器１５４等を設けた場合について説明した。このような構成によれば、画像読取装置の製品出荷後の環境変化等により、製品出荷前に予め設定した受光時間（電荷蓄積期間）や発光輝度制御信号のデジタル値（発光素子の発光輝度）が妥当な状態でなくなった場合であっても、画像読取装置単独で上述したような一連の受光時間最適化動作や発光輝度調整動作を実行して、自立的に最適な画像読取動作を実現することができる利点を有している。
【００８１】
また、一方で、本発明に係る画像読取装置の他の構成として、上述したような発光輝度調整動作に係る構成を、画像読取装置とは別個に設けたものであってもよく、この場合、必要に応じて上記構成を接続するようにして、受光時間最適化動作や発光輝度調整動作を実行して、最適な画像読取動作を実現することができる。したがって、このような構成によれば、画像読取装置の装置規模の小型化や製品コストの低減を図ることができる利点を有している。
【００８２】
＜画像読取装置の全体動作（第２の実施例）＞
次に、本実施形態に係る画像読取装置の画像読取動作の第２の実施例について、図面を参照しながら説明する。
図１２は、本発明に係る画像読取装置の全体動作の第２の実施例を示すフローチャートである。なお、上述した第１の実施例と同等の処理手順については、その説明を簡略化又は省略する。
【００８３】
上述した第１の実施例に係る画像読取動作においては、図６に示したように、被写体に照射される照射光の色ごとに画像データを読み取り、パーソナルコンピュータ等の外部機能部２００へ転送する処理手順を有する場合について説明したが、本実施例においては、Ｒ、Ｇ、Ｂの各色ごとの画像データを、画像読取装置内のメモリ（ＲＡＭ）に保存した後、これらの画像データを一括して外部機能部に転送するように処理手順を有している。
【００８４】
本実施例に係る画像読取動作においては、概略、図１２に示すように、上述した第１の実施例と同様の受光時間最適化動作（Ｓ２０１）及び発光輝度調整動作（Ｓ２０２）を行った後、上記発光輝度調整動作により設定された発光輝度で、まず、バックライト（発光素子）から赤色の照射光が被写体に照射されて（Ｓ２０３）、上記受光時間最適化動作により設定された最適な受光時間（電荷蓄積期間）で被写体画像が読み取られ、該赤色の照射光を用いて読み取られた画像データ（明度データ）がデータセレクタ１５６を介してＲＡＭ１６０に保存される（Ｓ２０４）。
【００８５】
次いで、バックライトから緑色の照射光が被写体に照射されて（Ｓ２０５）、上記最適な受光時間で再度被写体画像が読み取られ、該緑色の照射光を用いて読み取られた画像データがＲＡＭ１６０に保存される（Ｓ２０６）。その後、さらに、バックライトから青色の照射光が被写体に照射されて（Ｓ２０７）、上記最適な受光時間で再度被写体画像が読み取られ、該青色の照射光を用いて読み取られた画像データがＲＡＭ１６０に保存される（Ｓ２０８）。
そして、上記Ｒ、Ｇ、Ｂの各色による一連の画像読取動作によりＲＡＭ１６０に保存された画像データは、一括して外部機能部２００に転送され（Ｓ２０９）、外部機能部２００により、Ｒ、Ｇ、Ｂの各色の画像データに色データを関連付けて合成することにより、被写体のカラー画像を生成する（Ｓ２１０）。
【００８６】
このような画像読取動作によれば、画像読取装置とパーソナルコンピュータ等の外部機能部とのデータ転送処理の実行頻度（回数）を削減することができるとともに、Ｒ、Ｇ、Ｂの各色の画像データ（明度データ）を一体かつ一括的に取り扱うことができるので、画像読取装置及び外部機能部双方の処理負担を軽減することができる。なお、本実施例に係る画像読取動作においては、Ｒ、Ｇ、Ｂの各色の画像データを一旦ＲＡＭ１６０に保存する処理手順を有しているので、画像読取装置に設けられるＲＡＭ１６０の記憶容量を、上述した第１の実施例における場合の概ね３倍程度に設定する必要がある。
【００８７】
なお、上述した実施形態においては、フォトセンサシステムに適用するセンサとしてダブルゲート型フォトセンサを適用した場合について示したが、本発明に適用されるセンサは、これに限定されるものではなく、フォトダイオードやＴＦＴ等、他の構成のフォトセンサを用いたフォトセンサシステムに対しても同様に適用することができることはいうまでもない。
【００８８】
【発明の効果】
以上説明したように、本発明に係る画像読取装置及びその駆動制御方法によれば、明度階調（明度データ）のみを検出するモノクローム型のフォトセンサからなるセンサアレイ上に設けられた検知面に載置された被写体に、Ｒ、Ｇ、Ｂの各色の照射光を個別に照射して、該被写体のカラー画像を読み取る画像読取装置において、被写体画像の明暗パターンを良好なコントラストで読み取ることができる最適な受光時間を設定して、被写体画像をＲ、Ｇ、Ｂの各色の照射光を用いて時系列的に読み取る画像読取動作において、各色での受光時間を一定に設定することができるとともに、Ｒ、Ｇ、Ｂの各色の発光素子の発光輝度を個別に制御することにより、上記最適な受光時間で画像読取動作を行った場合における、フォトセンサの色依存性に基づく明度階調の差を均一化することができるので、画像読取動作における各色の発光素子の発光時間及びフォトセンサの受光時間を同一の駆動タイミングに設定することができ、駆動制御を簡素化して装置の制御負担を軽減しつつ、被写体のカラー画像を良好に読み取ることができる。
また、被写体画像をカラー画像として読み取る場合であっても、被写体に適した色の照射光を用いた受光時間最適化動作により設定された受光時間の最適値を、他の色の照射光による画像読取動作の際にそのまま適用することができるので、受光時間最適化動作に要する処理負担を軽減して、所要時間を短縮することができる。
【図面の簡単な説明】
【図１】本発明に係る画像読取装置に適用可能なダブルゲート型トランジスタによるフォトセンサの概略構成を示す断面構造図である。
【図２】ダブルゲート型フォトセンサを２次元配列して構成されるフォトセンサアレイを備えたフォトセンサシステムの概略構成図である。
【図３】フォトセンサシステムにおける基本的な駆動制御方法を示すタイミングチャートである。
【図４】本発明に係る画像読取装置の全体構成の一実施形態を示すブロック図である。
【図５】本実施形態に係るフォトセンサシステムに適用されるコントローラの一構成例を示す概念的なブロック図である。
【図６】本発明に係る画像読取装置の全体動作の第１の実施例を示すフローチャートである。
【図７】本実施形態に係る画像読取装置の受光時間最適化動作の一例を示すフローチャートである。
【図８】本実施形態に係る受光時間最適化動作に適用可能な受光時間（電荷蓄積時間）の設定例を示すタイミングチャートである。
【図９】本実施形態に係る画像読取装置の発光輝度調整動作の一例を示すフローチャートである。
【図１０】本実施形態に係る画像読取装置のバックライトに適用可能な発光素子の印加電流と発光輝度（放射強度）との関係を示す図である。
【図１１】本実施形態に係る画像読取装置の正規の画像読取動作の一例を示すタイミングチャートである。
【図１２】本発明に係る画像読取装置の全体動作の第２の実施例を示すフローチャートである。
【図１３】フォトセンサにおける受光感度の波長（色）依存性を示す図である。
【符号の説明】
１０　　　　ダブルゲート型フォトセンサ
１００　　　フォトセンサアレイ
１５０　　　コントローラ
１５２　　　データコントローラ
１５３　　　メインコントローラ
１５４　　　データ比較器
１５８　　　バックライト発光制御部
１８０　　　バックライト用電源
２００　　　外部機能部
ＢＬ　　　　バックライト
【図１】
2004126721.tif 000003
【図２】
2004126721.tif 000004
【図３】
2004126721.tif 000005
【図４】
2004126721.tif 000006
【図５】
2004126721.tif 000007
【図６】
2004126721.tif 000008
【図７】
2004126721.tif 000009
【図８】
2004126721.tif 000010
【図９】
2004126721.tif 000011
【図１０】
2004126721.tif 000012
【図１１】
2004126721.tif 000013
【図１２】
2004126721.tif 000014
【図１３】
2004126721.tif 000015